(57)【要約】【課題】電子部品を覆う蓋部材内に浸水してきた液体を所定の位置に効率よく集水することができる電子機器の蓋部材及び電子機器の筐体を提供する。【解決手段】電子機器の蓋部材２０Ｐは、蓋部材２０Ｐにおける蓋本体との対向面２１Ｐから突出し、所定領域２１Ｓを囲むリブ３０Ｐと、リブ３０Ｐのうち蓋部材２０Ｐの一の辺に対応する部分に形成され、リブ３０Ｐを蓋部材２０Ｐの対向面２１Ｐの面方向に沿って貫通する貫通部４４Ｐと、リブ３０Ｐのうち一の辺に対応する部分に形成され、面方向に沿って、所定領域２１Ｓと反対側へ膨らんで形成された集水部５０Ｐと、を備え、リブ３０Ｐは、貫通部４４Ｐから集水部５０Ｐに向かうにしたがって、面方向外側に傾斜して配置されていることを特徴とする。【選択図】図１
2016186979.tif 000002
【特許請求の範囲】
【請求項１】
電子部品の一方の面を覆う蓋本体とともに、前記電子部品の前記一方の面と反対側の他方の面を覆う蓋部材であって、
該蓋部材における前記蓋本体との対向面から突出し、所定領域を囲むリブと、
前記リブのうち前記蓋部材の一の辺に対応する部分に形成され、前記リブを該蓋部材の対向面の面方向に沿って貫通する貫通部と、
前記リブのうち前記一の辺に対応する部分に形成され、前記面方向に沿って、前記所定領域と反対側へ膨らんで形成された集水部と、を備え、
前記リブは、前記貫通部から前記集水部に向かうにしたがって、前記面方向外側に傾斜して配置されていることを特徴とする電子機器の蓋部材。
【請求項２】
電子部品の一方の面を覆う蓋本体とともに、前記電子部品の前記一方の面と反対側の他方の面を覆う蓋部材であって、
該蓋部材における前記蓋本体との対向面から突出し、所定領域を囲むリブと、
前記リブのうち前記蓋部材の一の辺に対応する部分に形成され、前記対向面の面方向に沿って、前記所定領域と反対側へ膨らんで形成された集水部と、を備え、
前記リブのうち前記集水部に接続される部分は、前記集水部に向かうにしたがって、前記面方向外側に傾斜して配置されていることを特徴とする電子機器の蓋部材。
【請求項３】
前記対向面を上方に向けた状態において、前記対向面は、前記一の辺の外側から中央側に向かうにしたがって、次第に下方に向かって傾斜して形成され、
前記集水部は、前記一の辺の前記外側に設けられた外集水部と、前記一の辺の前記中央側に設けられた中央集水部と、を有していることを特徴とする請求項１または２に記載の電子機器の蓋部材。
【請求項４】
前記リブは、前記蓋部材の前記対向面と交差する方向に突出する突出壁部を有し、
該突出壁部は、前記リブの頂点側から前記蓋部材の前記対向面側に向かうにしたがって、次第に前記所定領域の外側から内側に向かって傾斜していることを特徴とする請求項１から３のいずれか一項に記載の電子機器の蓋部材。
【請求項５】
請求項１から請求項４のいずれか一項に記載の蓋部材と、
前記蓋部材と一体化され、前記電子部品の前記一方の面を覆う蓋本体と、を備え、
前記蓋本体は、該蓋本体における前記電子部品と対向する所定領域を囲み、前記蓋本体の表面から突出するリブを有することを特徴とする電子機器の筐体。
【発明の詳細な説明】
【技術分野】
【０００１】
本発明は、電子機器の蓋部材及び電子機器の筐体に関する。
【背景技術】
【０００２】
一般に、ノートブック型コンピュータ等の電子機器では、内蔵された電子部品が液体に触れないように、電子部品の周りにパッキンが配置された防水構造が採用されている（下記特許文献１参照）。
また、キーボード内に浸水してきた液体を外部に排出する構成も知られている。例えば、キーボードの上にこぼれた液体は、キーボード・アセンブリに入り、切欠き部を経由してキーボードベースの縁部に設けられたスリット開口に排水される（下記特許文献２参照）。
【先行技術文献】
【特許文献】
【０００３】
【特許文献１】特開２００６−９９５５１号公報
【特許文献２】特開２００９−１６９５６９号公報
【発明の概要】
【発明が解決しようとする課題】
【０００４】
しかしながら、特許文献１に記載のようにパッキンを設けた構成であっても、パッキン間の隙間等から電子部品側に液体が浸水してきてしまう可能性がある。特許文献２に記載の電子機器では、キーボードが設けられる取付部に入ってきた液体を排水するものであって、電子部品側等液体の浸水が防止された部分に、液体が誤って入ってきてしまった場合には、入ってきた液体を排水することはできないという問題点がある。また、液体が電子部品側に長く留まると、電子部品に影響を及ぼすため効率良く排水することが望まれている。
【０００５】
本発明は、上記事情に鑑みてなされたものであり、電子部品を覆う蓋部材内に浸水してきた液体を所定の位置に効率よく集水することができる電子機器の蓋部材及び電子機器の筐体を提供するものである。
【課題を解決するための手段】
【０００６】
本発明は、上記課題を解決するため、以下の手段を採用する。
すなわち、本発明に係る電子機器の蓋部材は、電子部品の一方の面を覆う蓋本体とともに、前記電子部品の前記一方の面と反対側の他方の面を覆う蓋部材であって、該蓋部材における前記蓋本体との対向面から突出し、所定領域を囲むリブと、前記リブのうち前記蓋部材の一の辺に対応する部分に形成され、前記リブを該蓋部材の対向面の面方向に沿って貫通する貫通部と、前記リブのうち前記一の辺に対応する部分に形成され、前記面方向に沿って、前記所定領域と反対側へ膨らんで形成された集水部と、を備え、前記リブは、前記貫通部から前記集水部に向かうにしたがって、前記面方向外側に傾斜して配置されていることを特徴とする。
【０００７】
また、本発明に係る電子機器の蓋部材は、電子部品の一方の面を覆う蓋本体とともに、前記電子部品の前記一方の面と反対側の他方の面を覆う蓋部材であって、該蓋部材における前記蓋本体との対向面から突出し、所定領域を囲むリブと、前記リブのうち前記蓋部材の一の辺に対応する部分に形成され、前記対向面の面方向に沿って、前記所定領域と反対側へ膨らんで形成された集水部と、を備え、前記リブのうち前記集水部に接続される部分は、前記集水部に向かうにしたがって、前記面方向外側に傾斜して配置されていることを特徴とする。
【０００８】
また、本発明に係る電子機器の筐体は、上記のいずれか一に記載の蓋部材と、前記蓋部材と一体化され、前記電子部品の前記一方の面を覆う蓋本体と、を備え、前記蓋本体は、該蓋本体における前記電子部品と対向する所定領域を囲み、前記蓋本体の表面から突出するリブを有することを特徴とする。
【発明の効果】
【０００９】
本発明に係る電子機器の蓋部材及び電子機器の筐体によれば、電子部品を覆う蓋部材内に浸水してきた液体を所定の位置に効率よく集水することができる。
【図面の簡単な説明】
【００１０】
【図１】（ａ）本発明の電子機器のリブに貫通部がある場合において、蓋部材の最小構成を示す概略構成図であり、（ｂ）本発明の電子機器のリブに貫通部がない場合において、蓋部材の最小構成を示す概略構成図である。
【図２】本発明の一実施形態に係る電子機器の表示部を下方に向けている状態の斜視図である。
【図３】本発明の一実施形態に係る電子機器の表示部を開いた状態の斜視図である。
【図４】本発明の一実施形態に係る電子機器の表示部を上方に向けている状態の斜視図である。
【図５】本発明の一実施形態に係る電子機器を表示部側の蓋部材（窓枠側カバー部材）の内面側から見た図である。
【図６】図５をＡ−Ａ断面で切断した斜視図である。
【図７】図６のＢ−Ｂ断面図である。
【図８】本発明の一実施形態に係る電子機器の蓋本体（背面側カバー部材）を内面側から見た図である。
【図９】本発明の一実施形態に係る電子機器の蓋本体の内面において、高低差を示す図である。
【図１０】本発明の一実施形態に係る電子機器の蓋本体の斜視図である。
【図１１】図２の表示部におけるＣ−Ｃ断面図である。
【図１２】本発明の一実施形態の変形例に係る電子機器の集水部の構成を示す図である。
【発明を実施するための形態】
【００１１】
以下、添付図面を参照して、本発明による電子機器の蓋部材を実施するための最良の形態を説明する。しかし、本発明はこれらの実施形態のみに限定されるものではない。
【００１２】
図１（ａ）は、本発明の電子機器のリブに貫通部がある場合において、蓋部材の最小構成を示す概略構成図であり、図１（ｂ）本発明の電子機器のリブに貫通部がない場合において、蓋部材の最小構成を示す概略構成図である。
図１（ａ）に示すように、電子機器の蓋部材２０Ｐは、電子部品（不図示。以下同じ。）の一方の面を覆う蓋本体（不図示。以下同じ。）とともに、電子部品の一方の面と反対側の他方の面を覆う。電子機器の蓋部材２０Ｐのリブ３０Ｐに貫通部４４Ｐがある場合には、蓋部材２０Ｐは、少なくとも、リブ３０と、貫通部４４Ｐと、集水部５０Ｐと、を備えていればよい。
【００１３】
リブ３０は、蓋部材２０Ｐにおける蓋本体との対向面２１Ｐから突出し、所定領域２１Ｓを囲む。貫通部４４Ｐは、リブ３０のうち蓋部材２０Ｐの一の辺に対応する部分に形成され、リブ３０を蓋部材２０Ｐの対向面２１Ｐの面方向に沿って貫通する。集水部５０Ｐは、リブ３０のうち一の辺に対応する部分に形成され、対向面２１Ｐの面方向に沿って、所定領域２１Ｓと反対側へ膨らんで形成されている。リブ３０は、貫通部４４Ｐから集水部５０Ｐに向かうにしたがって、面方向外側に傾斜して配置されている。
【００１４】
このように構成された電子機器の蓋部材２０Ｐでは、貫通部４４Ｐ及び集水部５０Ｐが下方に配置された状態において、蓋部材２０Ｐ内に入ってきた液体は、リブ３０に沿って移動する。リブ３０は貫通部４４Ｐから集水部５０Ｐに向かうにしたがって対向面２１Ｐの面方向外側に傾斜して配置、つまりこの状態では下方に傾斜して配置されているため、液体は貫通部４４Ｐ側から集水部５０Ｐ側に流れる。よって、電子機器内に入ってきた液体を所定の位置に集水することができる。
【００１５】
また、図１（ｂ）に示すように、電子機器の蓋部材２０Ｑのリブ３０Ｑに貫通部がない場合には、蓋部材２０Ｑは、少なくとも、リブ３０Ｑと、集水部５０Ｐと、を備えていればよい。リブ３０は、蓋部材２０Ｑにおける蓋本体との対向面２１Ｐから突出し、所定領域２１Ｓを囲む。集水部５０Ｐは、リブ３０Ｑのうち蓋部材２０Ｑの一の辺に対応する部分に形成され、対向面２１Ｐの面方向に沿って、所定領域２１Ｓと反対側へ膨らんで形成されている。リブ３０Ｑのうち集水部５０Ｐに接続される部分３１Ｑは、集水部５０Ｐに向かうにしたがって、面方向外側に傾斜して配置されている。
【００１６】
このように構成された電子機器の蓋部材２０Ｑでは、複数の集水部５０Ｐ，５０Ｑが下方に配置された状態において、蓋部材２０Ｑ内に入ってきた液体は、リブ３０Ｑに沿って移動する。リブ３０Ｑは複数の集水部５０Ｐ，５０Ｑの間の部分（途中部分）から集水部５０Ｐ，５０Ｑに向かうにしたがって対向面２１Ｐの面方向外側に傾斜して配置、つまりこの状態では下方に傾斜して配置されているため、液体は途中部分側から集水部５０Ｐ，５０Ｑ側に流れる。よって、電子機器内に入ってきた液体を所定の位置に集水することができる。
【００１７】
次に、本発明の一実施形態に係る電子機器の一例として、ノート型パソコンを例に挙げて、主に図２〜図１１を用いて説明する。
この実施形態において、前述した実施形態で用いた部材と同一の部材には同一の符号を付して、その説明を省略する。
図２は、本発明の一実施形態に係る電子機器の表示部を下方に向けている状態の斜視図である。図３は、本発明の一実施形態に係る電子機器の表示部を開いた状態の斜視図である。図４は、本発明の一実施形態に係る電子機器の表示部を上方に向けている状態の斜視図である。
【００１８】
図２から図４に示すように、ノート型パソコン１００は、キーボード（不図示）等が設けられたコンピュータ本体１と、液晶ディスプレイ等が設けられた表示部２と、を備えている。
【００１９】
コンピュータ本体１と表示部２とは、ヒンジ（不図示）等により連結されている。また、表示部２は、水平方向のうち表示部２の幅方向に沿って設けられた回動軸（不図示。以下同じ。）を中心として回動可能である。これにより、表示部２の表面２Ａ（図３参照）がコンピュータ本体１に対向するように下方を向けている状態Ａ（図２参照）から、表示部２が回動軸を中心に回動してコンピュータ本体１から離間し開いた状態Ｂ（図３参照）まで、状態移行が可能とされている。さらに、表示部２が、鉛直方向に沿って設けられた回動軸（不図示。以下同じ。）を中心として１８０°回動し、表示部２の背面２Ｚ（図２参照）がコンピュータ本体１に対向し、表面２Ａが上方を向いている状態Ｃ（図４参照）へと状態移行が可能とされている。
利用者がノート型パソコン１００を使用する状態が、状態Ｂ、状態Ｃとされている。利用者が電子機器を使用しない状態が、状態Ａとされている。
【００２０】
表示部２は、液晶ディスプレイ（ＬＣＤ）モジュール（電子部品）Ｍと、表面２Ａ側に設けられた窓枠側カバー部材２０と、背面２Ｚ側に設けられた背面側カバー部材１２０と、を有している。
【００２１】
（窓枠側カバー部材）
図５は、ノート型パソコン１００を窓枠側カバー部材２０の内面側から見た図である。図６は、図５をＡ−Ａ断面で切断した斜視図である。
図５、図６に示すように、窓枠側カバー部材２０は、液晶ディスプレイモジュールＭの外周に沿って配置される窓枠側カバー本体２１と、窓枠側カバー本体２１の内面（背面側カバー部材１２０（図３参照）と対向する対向面）２１Ｉの縁部側から突出する第一側壁部２３及び第二側壁部２５と、を有している。
ここで、窓枠側カバー部材２０の幅方向をＸ方向とし、図５に示す状態（状態Ａ）において、紙面左側を−Ｘ側とし、紙面右側を＋Ｘ側とする。また、窓枠側カバー部材２０の縦方向をＹ方向とし、図５に示す状態において、紙面上側を＋Ｙ側とし、紙面下側を−Ｙ側とする。
【００２２】
窓枠側カバー本体２１は、辺２１Ａ，２１Ｂ，２１Ｃ，２１Ｄにより、平面視（図２に示す状態Ａにおいて上方から見て）において略矩形状に形成されるとともに、中央側に平面視略矩形状の開口部２１Ｋ（図３参照。以下同じ。）が形成されている。この開口部２１Ｋには、液晶ディスプレイモジュールＭ（図３参照。以下同じ。）が配置されている。
【００２３】
図６に示すように、窓枠側カバー本体２１の内面２１Ｉは、後述するリブ３０により囲まれた部分において、窓枠側カバー部材２０の幅方向外側から中央側に向かうにしたがって次第に外面（内面と反対側の面）２１Ｅ側に向かうように傾斜している。
【００２４】
換言すると、図６に示すように、窓枠側カバー本体２１の外面２１Ｅを水平面に沿って載置した状態（状態Ａ）において、窓枠側カバー本体２１の内面２１Ｉの＋Ｘ側及び−Ｘ側が最も高く、窓枠側カバー部材２０の内面２１Ｉの幅方向中央側が最も低くなっている。
【００２５】
第一側壁部２３は、窓枠側カバー本体２１の縁部に沿って、四方枠状に配置されている。第二側壁部２５は、平面視において、第一側壁部２３よりも内側であって開口部２１Ｋよりも外側に、四方枠状に配置されている。
【００２６】
さらに、窓枠側カバー部材２０は、平面視において、窓枠側カバー本体２１における第二側壁部２５よりも内側であって開口部２１Ｋよりも外側に設けられたリブ３０を有している。リブ３０は、窓枠側カバー本体２１の内面２１Ｉから突出するように形成されている。
【００２７】
図７は、図６のＢ−Ｂ断面図である。
図７に示すように、リブ３０は、窓枠側カバー本体２１の内面２１Ｉにおける第一側壁部２３側から突出する外壁部３１と、窓枠側カバー本体２１の内面２１Ｉにおける液晶ディスプレイモジュールＭ側から突出する内壁部（突出壁部）３２と、外壁部３１の端部と内壁部３２の端部とを連結する上壁部３３と、を有している。外壁部３１、内壁部３２及び上壁部３３は、一体に形成されている。
【００２８】
内壁部３２は、上壁部３３側から窓枠側カバー本体２１の内面２１Ｉ側に向かうにしたがって次第に平面視（状態Ａにおいて上方から見て）中央側に向かうように傾斜している。
【００２９】
窓枠側カバー本体２１の内面２１Ｉにおいて、内壁部３２の下部には、リブ３０に沿って延びる溝部３５が形成されている。溝部３５は、リブ３０を挟んで第二側壁部２５と反対側に形成されている。
【００３０】
図５に示すように、リブ３０は、開口部２１Ｋの−Ｘ側でＹ方向に沿って延びる第一リブ４１、開口部２１Ｋの＋Ｙ側でＸ方向に沿って延びる第二リブ４２、開口部２１Ｋの＋Ｘ側でＹ方向に沿って延びる第三リブ４３及び開口部２１Ｋの−Ｙ側でＸ方向に沿って延びる第四リブ４４で構成されている。換言すると、第一リブ４１は窓枠側カバー本体２１の辺２１Ａに対応する部分に設けられ、第二リブ４２は窓枠側カバー本体２１の辺２１Ｂに対応する部分に設けられ、第三リブ４３は窓枠側カバー本体２１の辺２１Ｃに対応する部分に設けられ、第四リブ４４は窓枠側カバー本体２１の辺２１Ｄに対応する部分に設けられている。
【００３１】
これら第一リブ４１、第二リブ４２、第三リブ４３及び第四リブ４４は、液晶ディスプレイモジュールＭに対応する領域（所定領域）Ｓ１を連続して囲んでいる。なお、第一リブ４１、第二リブ４２、第三リブ４３及び第四リブ４４は、所定領域Ｓ１を連続して囲んでいることが好ましいが、不連続であってもよい。例えば、第一リブ４１等の一辺のリブの途中部分が途切れていたり、または第四リブ４４等一辺のリブだけがあり、第一リブ４１、第二リブ４２及び第三リブ４３等の三辺のリブが無くてもよい。
【００３２】
第一リブ４１及び第三リブ４３は、＋Ｙ側から−Ｙ側に向かうにしたがって次第に窓枠側カバー部材２０の幅方向中央側に向かうように、Ｙ方向に対して傾斜している。
【００３３】
第二リブ４２は、窓枠側カバー部材２０の幅方向中央側から−Ｘ側及び＋Ｘ側に向かうにしたがって次第に−Ｙ側に向かうように、Ｘ方向に対して傾斜している。
【００３４】
第四リブ４４は、窓枠側カバー部材２０の幅方向中央側から−Ｘ側、＋Ｘ側にそれぞれ延びる中央リブ部４４Ａ，４４Ｂと、中央リブ部４４Ａから−Ｘ側に延びる端リブ部４４Ｃと、中央リブ部４４Ｂから＋Ｘ側に延びる端リブ部４４Ｄと、を有している。
【００３５】
中央リブ部４４Ａは、窓枠側カバー部材２０の幅方向中央側から−Ｘ側に向かうにしたがって次第に＋Ｙ側に向かうように、Ｘ方向に対して傾斜している。中央リブ部４４Ｂは、窓枠側カバー部材２０の幅方向中央側から＋Ｘ側に向かうにしたがって次第に＋Ｙ側に向かうように、Ｘ方向に対して傾斜している。
【００３６】
中央リブ部４４Ａの＋Ｘ側の端部には、−Ｙ側に向かって屈曲された屈曲壁部５１が設けられている。中央リブ部４４Ｂの−Ｘ側の端部には、−Ｙ側に向かって屈曲された屈曲壁部５２が設けられている。これら屈曲壁部５１，５２同士は、連結壁部５３により連結されている。
【００３７】
これら屈曲壁部５１，５２及び連結壁部５３により、中央集水部（集水部）５０Ｚが形成されている。換言すると、中央集水部５０Ｚは、第四リブ４４から窓枠側カバー本体２１の内面２１Ｉの面方向に沿って、領域Ｓ１と反対側へ膨らんでいる。ここで、窓枠側カバー本体２１の内面２１Ｉの面方向とは、内面２１Ｉに沿った方向であり、本実施形態ではＸＹ平面に沿った方向に相当する。
【００３８】
端リブ部４４Ｃは、中央リブ部４４Ａ側から−Ｘ側に向かうにしたがって次第に−Ｙ側に向かうように、Ｘ方向に対して傾斜している。
【００３９】
中央リブ部４４Ａと端リブ部４４Ｃとの境界部分では、窓枠側カバー本体２１の内面２１Ｉからの突出端から内面２１Ｉに向かって切り欠かれた切欠き部（貫通部）４４Ｆが形成されている。換言すると、切欠き部４４Ｆは、第四リブ４４を窓枠側カバー本体２１の内面２１Ｉの面方向に沿って貫通するように形成されている。切欠き部４４Ｆには、液晶ディスプレイモジュールＭのコネクタ等の接続部Ｍ１が配置されている。
【００４０】
端リブ部４４Ｃの＋Ｘ側の端部には、−Ｙ側に向かって屈曲された屈曲壁部６１Ａが設けられている。中央リブ部４４Ａの−Ｘ側の端部には、−Ｙ側に向かって屈曲された屈曲壁部６２Ａが設けられている。これら屈曲壁部６１Ａ，６２Ａ同士は、連結壁部６３Ａにより連結されている。
【００４１】
これら屈曲壁部６１Ａ，６２Ａ及び連結壁部６３Ａにより、接続部Ｍ１を収容する接続収容部６０Ａが形成されている。接続収容部６０Ａは、切欠き部４４Ｆに連通している。
【００４２】
端リブ部４４Ｄは、中央リブ部４４Ｂ側から＋Ｘ側に向かうにしたがって次第に−Ｙ側に向かうように、Ｘ方向に対して傾斜している。
【００４３】
第四リブ４４の＋Ｘ側においても同様に、中央リブ部４４Ｂと端リブ部４４Ｄとの境界部分では、窓枠側カバー本体２１の内面２１Ｉからの突出端から内面２１Ｉに向かって切り欠かれた切欠き部４４Ｇが形成されている。切欠き部４４Ｇには、接続部Ｍ１が配置されている。
【００４４】
また、屈曲壁部６１Ｂ，６２Ｂ及び連結壁部６３Ｂにより、接続収容部６０Ｂが形成されている。接続収容部６０Ｂは、切欠き部４４Ｇに連通している。
【００４５】
端リブ部４４Ｃの−Ｘ側の端部には、−Ｙ側に向かって屈曲された屈曲壁部５６Ａが設けられている。第一リブ４１の−Ｙ側の端部と、屈曲壁部５６Ａの−Ｙ側の端部とは連結壁部５７Ａにより連結されている。これら第一リブ４１の−Ｙ側の端部、屈曲壁部５６Ａ及び連結壁部５７Ａにより、端集水部５０Ａが形成されている。端集水部５０Ａは、第四リブ４４から窓枠側カバー本体２１の内面２１Ｉの面方向に沿って、領域Ｓ１と反対側へ膨らんでいる。
【００４６】
端リブ部４４Ｄの＋Ｘ側の端部側にも同様に、第三リブ４３の−Ｙ側の端部、屈曲壁部５６Ｂ及び連結壁部５７Ｂにより、端集水部５０Ｂが形成されている。
【００４７】
（背面側カバー部材）
図８は、ノート型パソコン１００の背面側カバー部材１２０を内面側から見た図である。図９は、ノート型パソコン１００の背面側カバー部材１２０の内面において、高低差を示す図である。図１０は、ノート型パソコン１００の背面側カバー部材１２０の斜視図である。
図８、図９、図１０に示すように、背面側カバー部材１２０は、液晶ディスプレイモジュールＭの背面を覆う背面側カバー本体１２１と、背面側カバー本体１２１の内面（窓枠側カバー部材２０（図３参照）と対向する面）１２１Ｉの縁部側から突出する第一側壁部１２３及び第二側壁部１２５と、を有している。
【００４８】
背面側カバー本体１２１は、辺１２１Ａ，１２１Ｂ，１２１Ｃ，１２１Ｄにより、平面視（状態Ｃにおいて上方から見て）略矩形状に形成されている。背面側カバー本体１２１の内面１２１Ｉには、溝１２１Ｍが形成されている。
【００４９】
図９では、背面側カバー部材１２０を水平面に沿って配置した状態において、高い位置程黒く示し、低い位置程白く示している。
図９、図１０に示すように、背面側カバー本体１２１の内面は、後述するリブ１３０により囲まれて部分において、次のように形成されている。背面側カバー部材１２０の幅方向中央側から外側に向かうにしたがって次第に外面（内面と反対側の面）１２１Ｅ側に向かうように傾斜している。また、背面側カバー部材１２０の幅方向中央側では、−Ｙ側から＋Ｙ側に向かうにしたがって次第に外面１２１Ｅ側に向かうように傾斜している。一方、背面側カバー部材１２０の幅方向外側では、＋Ｙ側から−Ｙ側に向かうにしたがって次第に外面１２１Ｅ側に向かうように傾斜している。
【００５０】
換言すると、背面側カバー本体１２１の外面１２１Ｅを水平面に沿って載置した状態（状態Ｃ）において、背面側カバー部材１２０の幅方向中央側且つ−Ｙ側が最も高く、背面側カバー本体１２１の幅方向外側且つ−Ｙ側が最も低くなっている。
【００５１】
図８に示すように、第一側壁部１２３は、背面側カバー本体１２１の縁部に沿って、四方枠状に配置されている。第二側壁部１２５は、平面視において、第一側壁部１２３よりも内側に、四方枠状に配置されている。
【００５２】
さらに、背面側カバー部材１２０は、平面視において、背面側カバー本体１２１における第二側壁部１２５よりも内側に設けられたリブ１３０を有している。リブ１３０は、背面側カバー本体１２１の内面１２１Ｉから突出するように形成されている。
【００５３】
背面側カバー部材１２０に設けられたリブ１３０は、窓枠側カバー部材２０に設けられたリブ３０と同様の構成とされている。つまり、図７に示すように、リブ１３０は、外壁部３１と、内壁部３２と、上壁部３３と、を有している。外壁部３１、内壁部３２及び上壁部３３は、一体に形成されている。内壁部３２は、上壁部３３側から背面側カバー本体１２１の内面１２１Ｉ側に向かうにしたがって次第に平面視（状態Ｃにおいて上方から見て）中央側に向かうように傾斜している。また、内壁部３２の下部には、溝部３５が形成されている。
【００５４】
リブ１３０は、背面側カバー本体１２１の辺１２１Ａに対応する部分に設けられた第一リブ１４１と、背面側カバー本体１２１の辺１２１Ｂに対応する部分に設けられた第二リブ１４２と、背面側カバー本体１２１の辺１２１Ｃに対応する部分に設けられた第三リブ１４３と、背面側カバー本体１２１の辺１２１Ｄに対応する部分に設けられた第四リブ１４４と、を有している。これら第一リブ１４１、第二リブ１４２、第三リブ１４３及び第四リブ１４４は、液晶ディスプレイモジュールＭに対応する領域（所定領域）Ｓ２を連続して囲んでいる。なお、第一リブ１４１、第二リブ１４２、第三リブ１４３及び第四リブ１４４は、所定領域Ｓ２を連続して囲んでいることが好ましいが、不連続であってもよい。例えば、第一リブ１４１等の一辺のリブの途中部分が途切れていたり、または第四リブ１４４等一辺のリブだけがあり、第一リブ１４１、第二リブ１４２及び第三リブ１４３等の三辺のリブが無くてもよい。
【００５５】
第一リブ１４１及び第三リブ１４３は、＋Ｙ側から−Ｙ側に向かうにしたがって次第に背面側カバー部材１２０の幅方向中央側に向かうように、Ｙ方向に対して傾斜している。
【００５６】
第二リブ１４２は、背面側カバー部材１２０の幅方向中央側から−Ｘ側及び＋Ｘ側に向かうにしたがって次第に−Ｙ側に向かうように、Ｘ方向に対して傾斜している。
【００５７】
第四リブ１４４は、背面側カバー部材１２０の幅方向中央側から−Ｘ側、＋Ｘ側にそれぞれ延びる中央リブ部１４４Ａ，１４４Ｂと、中央リブ部１４４Ａから−Ｘ側に延びる端リブ部１４４Ｃと、中央リブ部１４４Ｂから＋Ｘ側に延びる端リブ部１４４Ｄと、を有している。
【００５８】
中央リブ部１４４Ａは、背面側カバー部材１２０の幅方向中央側から−Ｘ側に向かうにしたがって次第に＋Ｙ側に向かうように、Ｘ方向に対して傾斜している。中央リブ部１４４Ｂは、背面側カバー部材１２０の幅方向中央側から＋Ｘ側に向かうにしたがって次第に＋Ｙ側に向かうように、Ｘ方向に対して傾斜している。
【００５９】
中央リブ部１４４Ａの＋Ｘ側の端部には、−Ｙ側に向かって屈曲された屈曲壁部１５１が設けられている。中央リブ部１４４Ｂの−Ｘ側の端部には、−Ｙ側に向かって屈曲された屈曲壁部１５２が設けられている。これら屈曲壁部１５１，１５２同士は、連結壁部１５３により連結されている。
【００６０】
これら屈曲壁部１５１，１５２及び連結壁部１５３により、中央集水部１５０Ｚが形成されている。換言すると、中央集水部１５０Ｚは、第四リブ１４４から背面側カバー本体１２１の内面１２１Ｉの面方向に沿って、領域Ｓ２と反対側へ膨らんでいる。ここで、背面側カバー本体１２１の内面１２１Ｉの面方向とは、内面１２１Ｉに沿った方向であり、本実施形態ではＸＹ平面に沿った方向に相当する。
【００６１】
端リブ部１４４Ｃは、中央リブ部１４４Ａ側から−Ｘ側に向かうにしたがって次第に−Ｙ側に向かうように、Ｘ方向に対して傾斜している。端リブ部１４４Ｄは、中央リブ部１４４Ｂ側から＋Ｘ側に向かうにしたがって次第に−Ｙ側に向かうように、Ｘ方向に対して傾斜している。
【００６２】
端リブ部１４４Ｃの−Ｘ側の端部には、−Ｙ側に向かって屈曲された屈曲壁部１５６Ａが設けられている。第一リブ１４１の−Ｙ側の端部と、屈曲壁部１５６Ａの−Ｙ側の端部とは連結壁部１５７Ａにより連結されている。これら第一リブ１４１の−Ｙ側の端部、屈曲壁部１５６Ａ及び連結壁部１５７Ａにより、端集水部１５０Ａが形成されている。端集水部１５０Ａは、第四リブ１４４から内面１２１Ｉの面方向に沿って、領域Ｓ２と反対側へ膨らんでいる。
【００６３】
端リブ部１４４Ｄの＋Ｘ側の端部側にも同様に、第三リブ１４３の−Ｙ側の端部、屈曲壁部１５６Ｂ及び連結壁部１５７Ｂにより、端集水部１５０Ｂが形成されている。
【００６４】
図１１は、図２の表示部２におけるＣ−Ｃ断面図である。なお、図１１において、液晶ディスプレイモジュールＭの図示は省略している。
図５、図８、図１１に示すように、これら窓枠側カバー部材２０と背面側カバー部材１２０とが組み付けられた状態において、窓枠側カバー部材２０の第一側壁部２３と背面側カバー部材１２０の第一側壁部１２３とは、窓枠側カバー部材２０の第二側壁部２５と背面側カバー部材１２０の第二側壁部１２５とは、窓枠側カバー部材２０のリブ３０と背面側カバー部材１２０のリブ１３０とは、それぞれ対応する位置に配置されている。また、第二側壁部２５と第二側壁部１２５との間には、パッキン等の防水材Ｐが設けられている。これにより、第二側壁部２５と第二側壁部１２５よりも内側（リブ３０，１３０側）には、液体が入りにくい防水構成とされている。
【００６５】
次に、上記のように構成されたノート型パソコン１００において、万が一領域Ｓ１，Ｓ２に液体が入りこんでしまった場合について、状態Ａ，Ｂ，Ｃのぞれぞれの排水構成について説明する。
【００６６】
図２に示す状態Ａでは、窓枠側カバー部材２０は表示部２の表面２Ａを下方に向けて配置されている。窓枠側カバー部材２０側では、液体は窓枠側カバー本体２１の内面２１Ｉに沿って移動する。窓枠側カバー本体２１の内面２１Ｉでは、窓枠側カバー部材２０の幅方向外側（＋Ｘ側及び−Ｘ側）が最も高く、窓枠側カバー部材２０の幅方向中央側が最も低くなっているため、液体は幅方向中央側に誘導される。そして、液体は、窓枠側カバー部材２０の−Ｙ側において、中央集水部５０Ｚに集水される。
一方、背面側カバー部材１２０は背面側カバー本体１２１の内面１２１Ｉを下方に向けて配置されている。背面側カバー部材１２０側では、液体は背面側カバー本体１２１の内面１２１Ｉに沿って移動する。図１１に示すように、内面１２１Ｉを下方に向けた状態において、背面側カバー本体１２１の内面１２１Ｉでは、＋Ｘ側、−Ｘ側且つ−Ｙ側が最も高く、背面側カバー部材１２０の幅方向中央側且つ−Ｙ側が最も低くなっているため、液体は幅方向中央側且つ−Ｙ側に誘導される。そして、液体は、背面側カバー部材１２０の−Ｙ側において、中央集水部１５０Ｚに集水される。
【００６７】
また、図３に示す状態Ｂでは、中央集水部５０Ｚ，１５０Ｚ及び端集水部５０Ａ，５０Ｂ，１５０Ａ，１５０Ｂが下方（下位）に配置されている。窓枠側カバー部材２０側及び背面側カバー部材１２０側では、液体は窓枠側カバー本体２１の内面２１Ｉ及び背面側カバー本体１２１の内面１２１Ｉに沿って移動する。第一リブ４１，１４１及び第三リブ４３，１４３は、下方（−Ｙ側）に向かうにしたがって次第に窓枠側カバー部材２０及び背面側カバー部材１２０の幅方向中央側に向かうように形成されているため、液体は第一リブ１４１及び第三リブ１４３の溝部３５に沿って流れやすい。流れた液体は、第一リブ４１，１４１及び第三リブ４３，１４３の下方（−Ｙ側）に配置された端集水部５０Ａ，５０Ｂ，１５０Ａ，１５０Ｂを中心に集水される。
また、窓枠側カバー部材２０において、接続部Ｍ１の幅方向内側では、中央リブ部４４Ａ，４４Ｂは、切欠き部４４Ｆ，４４Ｇ側から中央集水部５０Ｚ側に向かうにしたがって次第に内面２１Ｉの面方向外側に傾斜している。よって、液体は、中央集水部５０Ｚに集水される。また、接続部Ｍ１の幅方向外側では、端リブ部４４Ｃ，４４Ｄは、切欠き部４４Ｆ，４４Ｇ側から端集水部５０Ａ，５０Ｂ側に向かうにしたがって次第に内面２１Ｉの面方向外側に傾斜している。よって、液体は、端集水部５０Ａ，５０Ｂに集水される。
また、背面側カバー部材１２０において、中央リブ部１４４Ａ，１４４Ｂは、中央集水部１５０Ｚ側に向かうにしたがって次第に内面１２１Ｉの面方向外側に傾斜している。よって、液体は、中央集水部１５０Ｚに集水される。また、端リブ部１４４Ｃ，１４４Ｄは、端集水部１５０Ａ，１５０Ｂ側に向かうにしたがって次第に内面１２１Ｉの面方向外側に傾斜している。よって、液体は、端集水部１５０Ａ，１５０Ｂに集水される。
【００６８】
また、図４に示す状態Ｃでは、窓枠側カバー部材２０は内面２１Ｉを下方に向けて配置されている。窓枠側カバー部材２０側では、液体は窓枠側カバー本体２１の内面２１Ｉに沿って移動する。また、内面２１Ｉを下方に向けた状態において、窓枠側カバー本体２１の内面２１Ｉでは、窓枠側カバー部材２０の幅方向中央側が最も高く（上位）、＋Ｘ側及び−Ｘ側が最も低く（下位）になっているため、液体は幅方向外側に誘導される。そして、液体は、窓枠側カバー部材２０の−Ｙ側において、端集水部５０Ａ，５０Ｂに集水される。
一方、背面側カバー部材１２０は内面１２１Ｉを上方に向けて配置されている。背面側カバー部材１２０側では、液体は背面側カバー本体１２１の内面１２１Ｉに沿って移動する。また、背面側カバー本体１２１の内面１２１Ｉでは、背面側カバー部材１２０の幅方向中央側且つ−Ｙ側が最も高く（上位）、＋Ｘ側、−Ｘ側且つ−Ｙ側が最も低く（下位）になっているため、液体は幅方向外側に誘導される。そして、液体は、背面側カバー部材１２０の−Ｙ側において、端集水部１５０Ａ，１５０Ｂに集水される。
【００６９】
このように構成されたノート型パソコン１００では、上記に示す通り、万が一領域Ｓ１，Ｓ２内に入ってきた液体は、状態Ａでは中央集水部５０Ｚ，１５０Ｚに集水され、状態Ｂでは端集水部５０Ａ，５０Ｂ，１５０Ａ，１５０Ｂを中心に、中央集水部５０Ｚ，１５０Ｚにも集水され、状態Ｃでは端集水部５０Ａ，５０Ｂ，１５０Ａ，１５０Ｂに集水される。よって、液体を所定の位置に集水することができる。これにより、液体は、液晶ディスプレイモジュールＭ及び接続部Ｍ１から遠ざけられる。
また、溝部３５，１３５が内面２１Ｉ，１２１Ｉから凹んでいるため、領域Ｓ１，Ｓ２内で溝部３５，１３５に入り込んだ液体は、状態Ａ，Ｂ，Ｃへと形態がかわる途中段階において、当該溝部３５，１３５内に留まりやすい。よって、液体が溝部３５，１３５から出て液晶ディスプレイモジュールＭ及び接続部Ｍ１に浸入することが抑制される。
また、窓枠側カバー部材２０のリブ３０と背面側カバー部材１２０のリブ１３０とは、それぞれ対応する位置に配置されている。よって、状態Ａから状態Ｂへの移行段階、及び状態Ｂから状態Ｃへの移行段階では、液体がリブ３０，１３０のそれぞれの内壁部３２を伝って溝部３５と溝部１３５との間に移動したり、集水部５０Ａと集水部１５０Ａとの間、集水部５０Ｂと集水部１５０Ｂとの間及び集水部５０Ｚと集水部１５０Ｚとの間をそれぞれ移動しやすい。よって、液体がこれら溝部３５，１３５、集水部５０Ａ，５０Ｂ，５０Ｚ，１５０Ａ，１５０Ｂ，１５０Ｚから出て液晶ディスプレイモジュールＭ及び接続部Ｍ１に浸入することが抑制される。
【００７０】
また、上述した実施の形態において示した各構成部材の諸形状や組み合わせ等は一例であって、本発明の主旨から逸脱しない範囲において設計要求等に基づき種々変更可能である。
【００７１】
例えば、中央集水部５０Ｚ等の集水部に、吸水部材を設けてもよい。この場合には、集水部に集水された液体が、吸水部材に吸水され、他の箇所へ再び移動することがない。また、集水部には、ノート型パソコン１００の外部又は、所定領域Ｓ１，Ｓ２の外部へ液体を排出する排出路（不図示。以下同じ。）を設けてもよい。この排出路は、集水部の全部に設けてもよく、適宜必要な集水部にのみ設けてもよい。排出路の構成は、排出と逆方向の流通を防止できる形状や、領域Ｓ１，Ｓ２内の液体を水蒸気として排出し外部からの液体の直接的に通過させない防水透湿性のある素材で排出路の開口を塞ぐ等の構成が好ましい。集水部は、状態Ａにおいて平面視矩形状に限られず、集水部から移動しにくいように、図１２（ａ）に示すような円弧状をなす集水部５０Ｒであってもよい。集水部５０Ｒを構成する壁部５１Ｒは、開口５２Ｒ側から−Ｙ方向に向かうにしたがって次第に−Ｘ，＋Ｘ方向に離間した後近接するような円弧状をなしている。また、図１２（ｂ）に示すように、集水部５０Ｓの壁部５１Ｓには、外方に突出する複数の凸部５２Ｓ，５２Ｓ…が設けられていてもよい。また、集水部及び排出路へ液体を誘導できるように、集水部の周辺や、リブ３０，１３０の周辺等に撥水加工を施してもよい。また、リブ３０，１３０の内壁部３２の上壁部３３側に撥水加工を施して、溝部３５，１３５に液体を誘導する構成であってもよい。
【００７２】
また、上記に示す実施形態においては、リブ３０，１３０は、水の浸入を防止する領域Ｓ１，Ｓ２の周囲に設けられているが、本発明はこれに限られない。本発明のリブを水が浸入しても影響の少ない領域（不図示）の周りに設けてもよい。または、本発明の領域Ｓ１，Ｓ２を囲むリブ３０，１３０の外側に、さらにリブ３０，１３０を設けてもよい。
【００７３】
また、上記に示す実施形態においては、溝部３５，１３５は、リブ３０，１３０を挟んで第二側壁部２５と反対側にのみ形成されているが、本発明はこれに限られない。溝部（不図示。以下同じ。）を、リブ３０，１３０の第二側壁部２５側にも設けてもよい。この場合には、当該溝部（リブ３０の第二側壁部２５側の溝部）は、第二側壁部２５，１２５とリブ３０，１３０との間に入りこんだ液体を所定の箇所に誘導する効果がある。
【００７４】
また、上記に示す実施形態においては、第二側壁部２５と第二側壁部１２５との間には、パッキン等の防水材Ｐが設けられていて、リブ３０，１３０間には防水材Ｐが設けられていないが、本発明はこれに限られない。
例えば、窓枠側カバー部材２０及び背面側カバー部材１２０に、それぞれ第二側壁部２５，１２５を設けなくてもよい。この場合には、リブ３０，１３０により液体が集水部５０Ｚ，１５０Ｚ等に誘導される。当該構成は、第一側壁部２３，１２３と液晶ディスプレイモジュールＭとの間の空間が小さく、防水のための第二側壁部２５，１２５を設けることが難しい場合に特に有効である。この場合には、リブ３０，１３０間に防水材を設けた方が好ましい。
また、第二側壁部２５，１２５間に防水材を設けなくてもよい。この場合には、リブ３０，１３０により防水効果が得られる。
また、防水材Ｐは、第二側壁部２５，１２５間に加えて、リブ３０，１３０間にも設けてもよい。この場合には、外部からの液体を、第二側壁部２５，１２５間及びリブ３０，１３０間の二重壁でより効果的に防水することができる。
【符号の説明】
【００７５】
１００…ノート型パソコン
１…コンピュータ本体
２…表示部
Ｍ…液晶ディスプレイモジュール
２０…窓枠側カバー部材
２１…窓枠側カバー本体
３０，１３０…リブ
４１，１４１…第一リブ
４２，１４２…第二リブ
４３，１４３…第三リブ
４４，１４４…第四リブ
４４Ｆ，４４Ｇ…切欠き部
５０Ｚ，１５０Ｚ…中央集水部
５０Ａ，５０Ｂ，１５０Ａ，１５０Ｂ…端集水部
１２０…背面側カバー部材
１２１…背面側カバー本体
【図１】
2016186979.tif 000003
【図２】
2016186979.tif 000004
【図３】
2016186979.tif 000005
【図４】
2016186979.tif 000006
【図５】
2016186979.tif 000007
【図６】
2016186979.tif 000008
【図７】
2016186979.tif 000009
【図８】
2016186979.tif 000010
【図１０】
2016186979.tif 000011
【図１１】
2016186979.tif 000012
【図１２】
2016186979.tif 000013
【図９】
2016186979.tif 000014